(57)【要約】    【課題】  耐熱性樹脂に添加されたガラス繊維が耐熱性樹脂の表面に浮き出て浮遊し最終的にはリフレクタや他の光学部品などに付着して輝度が低下するという問題を十分に抑制することができる光源装置及びプロジェクタを提供する。    【解決手段】  発光管１１２及び発光管１１２からの光を被照明領域側に向けて反射する楕円面リフレクタ１１４を有する光源ランプ１２０を有し、光源光軸１１０ａａｘに略平行な光を被照明領域側に向けて射出する光源装置１１０ａにおいて、光源装置１１０ａは、内部にガラス繊維を含有する耐熱性樹脂からなる光源装置用筐体１４０に収納され、光源装置用筐体１４０の内壁のうち少なくとも光源ランプ１２０からの光が照射される部分には、紫外線の透過を抑制する絶縁性の紫外線不透過性材料１４２が塗布されていることを特徴とする光源装置。【選択図】  図１
2006178260.tif 000002
【特許請求の範囲】
【請求項１】
発光管及び前記発光管からの光を被照明領域側に向けて反射するリフレクタを有する光源ランプを有し、光源光軸に略平行な光を前記被照明領域側に向けて射出する光源装置において、
前記光源装置は、内部にガラス繊維を含有する耐熱性樹脂からなる光源装置用筐体に収納され、
前記光源装置用筐体の内壁のうち少なくとも前記光源ランプからの光が照射される部分には、紫外線の透過を抑制する絶縁性の紫外線不透過性材料が塗布されていることを特徴とする光源装置。
【請求項２】
請求項１に記載の光源装置において、
前記紫外線不透過性材料は、黒色塗料であることを特徴とする光源装置。
【請求項３】
請求項２に記載の光源装置において、
前記黒色塗料は、銅、鉄及びマンガンの複合酸化物を含むことを特徴とする光源装置。
【請求項４】
請求項２又は３に記載の光源装置において、
前記黒色塗料の膜厚は、１０μｍ〜２００μｍの範囲内にあることを特徴とする光源装置。
【請求項５】
請求項４に記載の光源装置において、
前記光源ランプの発熱により前記黒色塗料の焼付けが行われていることを特徴とする光源装置。
【請求項６】
発光管及び前記発光管からの光を被照明領域側に向けて反射するリフレクタを有する光源ランプを有し、光源光軸に略平行な光を前記被照明領域側に向けて射出する光源装置において、
前記光源装置は、内部にガラス繊維を含有する耐熱性樹脂からなる光源装置用筐体に収納され、
前記光源装置用筐体の内壁のうち少なくとも前記光源ランプからの光が照射される部分には、紫外線の透過を抑制する絶縁性の紫外線不透過性セラミックス材料が溶射されていることを特徴とする光源装置。
【請求項７】
請求項６に記載の光源装置において、
前記紫外線不透過性セラミックス材料は、黒色を呈していることを特徴とする光源装置。
【請求項８】
発光管及び前記発光管からの光を被照明領域側に向けて反射するリフレクタを有する光源ランプを有し、光源光軸に略平行な光を前記被照明領域側に向けて射出する光源装置において、
前記光源装置は、内部にガラス繊維を含有する耐熱性樹脂からなる光源装置用筐体に収納され、
前記光源装置用筐体の内壁のうち少なくとも前記光源ランプからの光が照射される部分は、紫外線の透過を抑制する絶縁性の紫外線不透過性セラミックス板でカバーされていることを特徴とする光源装置。
【請求項９】
請求項８に記載の光源装置において、
前記紫外線不透過性セラミックス板は、黒色を呈していることを特徴とする光源装置。
【請求項１０】
請求項１〜９のいずれかに記載の光源装置と、前記光源装置からの光を画像情報に応じて変調する電気光学変調装置と、前記電気光学変調装置により変調された光を投写する投写光学系とを備えたことを特徴とするプロジェクタ。
【請求項１１】
請求項１０に記載のプロジェクタにおいて、
前記光源装置から前記電気光学変調装置までの光路上に配置される光学部品を収納する光学部品用筐体をさらに備え、
前記光学部品用筐体の内壁のうち少なくとも一部の内壁には、紫外線の透過を抑制する絶縁性の紫外線不透過性材料が塗布されていることを特徴とするプロジェクタ。
【発明の詳細な説明】
【技術分野】
【０００１】
本発明は光源装置及びプロジェクタに関する。
【背景技術】
【０００２】
図７は、従来のプロジェクタ１０００を説明するために示す図である。図８は、従来の光源装置１１０を説明するために示す図である。図８（ａ）は光源装置用筐体１４０の斜視図であり、図８（ｂ）は光源ランプ１２０の斜視図であり、図８（ｃ）は光源装置用筐体１４０に光源装置１１０が取り付けられたときの斜視図であり、図８（ｄ）は図８（ｃ）の断面を模式的に示す図である。
【０００３】
プロジェクタ１０００は、図７に示すように、光源装置１１０と、光源装置１１０から射出された光の面内光強度分布を均一化するインテグレータ照明光学系１５０と、インテグレータ照明光学系１５０から射出された光を赤色光、緑色光及び青色光の３つの色光に分離して被照明領域に導光する色分離導光光学系２００と、色分離導光光学系２００から射出された赤色光、緑色光及び青色光の３つの色光を画像情報に応じて変調する電気光学変調装置としての３つの液晶装置４００Ｒ，４００Ｇ，４００Ｂと、３つの液晶装置４００Ｒ，４００Ｇ，４００Ｂで変調された赤色光、緑色光及び青色光の３つの色光を合成するクロスダイクロイックプリズム５００と、クロスダイクロイックプリズム５００で合成された光を投写する投写光学系６００とを備えている（プロジェクタの光学系については、例えば特許文献１参照。）。
【０００４】
インテグレータ照明光学系１５０は、光源装置１１０からの光を複数の部分光束に分離する複数の第１小レンズを有する第１レンズアレイ１５２と、第１レンズアレイ１５２の複数の第１小レンズに対応する複数の第２小レンズを有する第２レンズアレイ１５４と、第２レンズアレイ１５４からの光を被照明領域上で重畳する重畳レンズ１５６とを備えている。
【０００５】
光源装置１１０は、図７及び図８に示すように、被照明領域に向けて集束光を射出する光源ランプ１２０と、光源ランプ１２０からの集束光を略平行光に変換する平行化レンズ１３０と、光源ランプ１２０及び平行化レンズ１３０を収納する光源装置用筐体１４０とを有している。
光源ランプ１２０は、発光管１１２と、発光管１１２からの光を被照明領域側に向けて反射するリフレクタとしての楕円面リフレクタ１１４と、発光管１１２から被照明領域側に射出された光を楕円面リフレクタ１１４に向けて反射する補助ミラー１１６とを有している。
【０００６】
ところで、近年、プロジェクタの高輝度化が進み、高輝度の発光管が用いられるようになってきているため、光源装置用筐体１４０は高温状態になる。このため、光源装置用筐体１４０の材料としては、液晶ポリマーやポリフェニレンサルファイドなどの耐熱性樹脂に機械特性向上のためにガラス繊維が添加された樹脂が使用されるようになってきた。
【０００７】
しかしながら、近年、プロジェクタのさらなる高輝度化が進み、さらに高輝度の発光管が用いられるようになってきているため、本来紫外線が照射されてほしくない光源装置用筐体の内壁にも紫外線が強く照射されるようになってきている。このため、光源装置用筐体１４０の内壁は、高温状態になるのに加えて紫外線が強く照射された状態になる。その結果、耐熱性樹脂の劣化が進み、耐熱性樹脂に添加されたガラス繊維が耐熱性樹脂の表面に浮き出て浮遊し最終的には楕円面リフレクタ１１４や平行化レンズ１３０などに付着して輝度が低下するという問題があった。
また、楕円面リフレクタ１１４を透過した紫外線や、光源装置１１０から射出された紫外線（通常は紫外線カットフィルタが光源装置１１０の射出側に設けられているが、完全には遮断できないため一部の紫外線が射出される。）により、光源装置１１０から３つの液晶装置４００Ｒ，４００Ｇ，４００Ｂまでの光路上に配置される光学部品を収納する光学部品用筐体１００の内壁においても、光源装置用筐体１４０の内壁において発生する問題と同様の問題が生ずることがあるという問題もあった。
【０００８】
そこで、上記した問題を解決するために、従来より、光源装置用筐体１４０の内壁のうち光源ランプ１２０からの紫外線が照射される部分を、金属板でカバーすることが行われている。これにより、光源装置用筐体１４０の内壁には紫外線が照射されにくくなるため、上記した問題、すなわち、耐熱性樹脂の劣化が進み、耐熱性樹脂に添加されたガラス繊維が耐熱性樹脂の表面に浮き出て浮遊し最終的には楕円面リフレクタや他の光学部品などに付着して輝度が低下するという問題は抑制される。
【０００９】
【特許文献１】特開２０００−３４７２９３号公報（図１４）
【発明の開示】
【発明が解決しようとする課題】
【００１０】
しかしながら、光源装置用筐体１４０が複雑な形状をしている場合には、光源装置用筐体１４０を隙間無くカバーするように上記の金属板を製造することは容易ではない。また、上記の金属板は、発光管１１２の２本のリード線のうち被照明領域側のリード線１１３と接触しないように構成される必要があるため、上記の金属板には所定の開口部を設けることが必要になる。このため、上記した光源装置１１０においては、光源装置用筐体１４０の内壁のうち光源ランプ１２０からの紫外線が照射される部分を全面にわたって上記の金属板でカバーすることはできない。その結果、耐熱性樹脂に添加されたガラス繊維が耐熱性樹脂の表面に浮き出て浮遊し最終的には楕円面リフレクタや他の光学部品などに付着して輝度が低下するという問題を十分に抑制することができないという問題があった。また、光学部品用筐体１００に対する対策はほとんどされていなかった。
【００１１】
なお、これらの問題は、液晶装置を用いたプロジェクタやそのようなプロジェクタに用いるための光源装置だけに生ずる問題ではなく、他の電気光学変調装置を用いたプロジェクタやそのようなプロジェクタに用いるための光源装置においても同様に生ずる問題でもある。また、これらの問題は、リフレクタとして楕円面リフレクタを用いた光源装置だけに生ずる問題ではなく、例えばリフレクタとして放物面リフレクタを用いた光源装置においても同様に生ずる問題でもある。
【００１２】
そこで、本発明は、これらのような問題を解決するためになされたもので、耐熱性樹脂に添加されたガラス繊維が耐熱性樹脂の表面に浮き出て浮遊し最終的にはリフレクタや他の光学部品などに付着して輝度が低下するという問題を十分に抑制することができる光源装置及びプロジェクタを提供することを目的とする。
【課題を解決するための手段】
【００１３】
本発明の光源装置は、発光管及び前記発光管からの光を被照明領域側に向けて反射するリフレクタを有する光源ランプを有し、光源光軸に略平行な光を前記被照明領域側に向けて射出する光源装置において、前記光源装置は、内部にガラス繊維を含有する耐熱性樹脂からなる光源装置用筐体に収納され、前記光源装置用筐体の内壁のうち少なくとも前記光源ランプからの光が照射される部分には、紫外線の透過を抑制する絶縁性の紫外線不透過性材料が塗布されていることを特徴とする。
【００１４】
このため、本発明の光源装置によれば、光源装置用筐体が複雑な形状をしている場合でも、光源装置用筐体の形状に対応して絶縁性の紫外線不透過性材料を隙間無く塗布することができる。また、本発明の光源装置によれば、発光管における被照明領域側のリード線の存在を気にせずに絶縁性の紫外線不透過性材料を塗布することができ、その結果、光源装置用筐体の内壁のうち光源ランプからの紫外線が照射される部分を全面にわたって絶縁性の紫外線不透過性材料でカバーすることができるようになる。
【００１５】
このため、本発明の光源装置によれば、耐熱性樹脂に添加されたガラス繊維が耐熱性樹脂の表面に浮き出て浮遊し最終的にはリフレクタや他の光学部品などに付着して輝度が低下するという問題を十分に抑制することができるようになる。
【００１６】
本発明の光源装置においては、光源装置用筐体の内壁に塗布された絶縁性の紫外線不透過性材料は、紫外線の透過率が３０％以下であることが好ましい。
【００１７】
本発明の光源装置においては、前記紫外線不透過性材料は、黒色塗料であることが好ましい。
【００１８】
このように構成することにより、紫外線の透過率をさらに下げることができる。
【００１９】
本発明の光源装置においては、前記黒色塗料は、銅、鉄及びマンガンの複合酸化物を含むことが好ましい。
【００２０】
このように構成することにより、黒色塗料を、紫外線の透過率が十分に低い絶縁性の紫外線不透過性材料とすることができる。
【００２１】
本発明の光源装置においては、前記黒色塗料の膜厚は、１０μｍ〜２００μｍの範囲内にあることが好ましい。
【００２２】
このように構成することにより、十分な黒色性及び紫外線不透過性が実現する。
【００２３】
本発明の光源装置においては、前記光源ランプの発熱により前記黒色塗料の焼付けが行われていることが好ましい。
【００２４】
光源ランプの発熱を利用して黒色塗料の焼付けが行われることにより、黒色塗料の塗布面への定着と黒色塗料の焼付け後における光源ランプの点灯動作の確認とを同時に実行することが可能となるため、作業工程を削減することが可能となる。
【００２５】
本発明の他の光源装置は、発光管及び前記発光管からの光を被照明領域側に向けて反射するリフレクタを有する光源ランプを有し、光源光軸に略平行な光を前記被照明領域側に向けて射出する光源装置において、前記光源装置は、内部にガラス繊維を含有する耐熱性樹脂からなる光源装置用筐体に収納され、前記光源装置用筐体の内壁のうち少なくとも前記光源ランプからの光が照射される部分には、紫外線の透過を抑制する絶縁性の紫外線不透過性セラミックス材料が溶射されていることを特徴とする。
【００２６】
このため、本発明の他の光源装置によれば、光源装置用筐体が複雑な形状をしている場合でも、光源装置用筐体の形状に対応して絶縁性の紫外線不透過性セラミックス材料を隙間無く溶射することができる。また、本発明の他の光源装置によれば、発光管における被照明領域側のリード線の存在を気にせずに絶縁性の紫外線不透過性セラミックス材料を溶射することができ、その結果、光源装置用筐体の内壁のうち光源ランプからの紫外線が照射される部分を全面にわたって絶縁性の紫外線不透過性セラミックス材料でカバーすることができるようになる。
【００２７】
このため、本発明の他の光源装置によれば、上記した本発明の光源装置の場合と同様に、耐熱性樹脂に添加されたガラス繊維が耐熱性樹脂の表面に浮き出て浮遊し最終的にはリフレクタや他の光学部品などに付着して輝度が低下するという問題を十分に抑制することができるようになる。
【００２８】
本発明の光源装置においては、光源装置用筐体の内壁に溶射された絶縁性の紫外線不透過性セラミックス材料は、紫外線の透過率が３０％以下であることが好ましい。
【００２９】
本発明の他の光源装置においては、前記紫外線不透過性セラミックス材料は、黒色を呈していることが好ましい。
【００３０】
このように構成することにより、紫外線の透過率をさらに下げることができる。
【００３１】
本発明のさらに他の光源装置は、発光管及び前記発光管からの光を被照明領域側に向けて反射するリフレクタを有する光源ランプを有し、光源光軸に略平行な光を前記被照明領域側に向けて射出する光源装置において、前記光源装置は、内部にガラス繊維を含有する耐熱性樹脂からなる光源装置用筐体に収納され、前記光源装置用筐体の内壁のうち少なくとも前記光源ランプからの光が照射される部分は、紫外線の透過を抑制する絶縁性の紫外線不透過性セラミックス板でカバーされていることを特徴とする。
【００３２】
このため、本発明のさらに他の光源装置によれば、発光管における被照明領域側のリード線との間隔を狭くした状態で絶縁性の紫外線不透過性セラミックス板を配置することが可能になるため、光源装置用筐体の内壁のうち光源ランプからの紫外線が照射される部分を、ほぼ全面にわたって絶縁性の紫外線不透過性セラミックス板でカバーすることができる。
【００３３】
このため、本発明のさらに他の光源装置によれば、上記した本発明の光源装置や他の光源装置の場合と同様に、耐熱性樹脂に添加されたガラス繊維が耐熱性樹脂の表面に浮き出て浮遊し最終的にはリフレクタや他の光学部品などに付着して輝度が低下するという問題を十分に抑制することができるようになる。
【００３４】
本発明の光源装置においては、光源装置用筐体の内壁をカバーする絶縁性の紫外線不透過性セラミックス板は、紫外線の透過率が３０％以下であることが好ましい。
【００３５】
本発明のさらに他の光源装置においては、前記紫外線不透過性セラミックス板は、黒色を呈していることが好ましい。
【００３６】
このように構成することにより、紫外線の透過率をさらに下げることができる。
【００３７】
本発明のプロジェクタは、本発明の光源装置、本発明の他の光源装置又は本発明のさらに他の光源装置と、前記光源装置からの光を画像情報に応じて変調する電気光学変調装置と、前記電気光学変調装置により変調された光を投写する投写光学系とを備えたことを特徴とする。
【００３８】
このため、本発明のプロジェクタによれば、耐熱性樹脂が劣化することに起因して輝度が低下することが十分に抑制された光源装置を備えているため、長期間にわたって輝度の低下しないプロジェクタとなる。
【００３９】
本発明のプロジェクタにおいては、前記光源装置から前記電気光学変調装置までの光路上に配置される光学部品を収納する光学部品用筐体をさらに備え、前記光学部品用筐体の内壁のうち少なくとも一部の内壁には、紫外線の透過を抑制する絶縁性の紫外線不透過性材料が塗布されていることが好ましい。
【００４０】
プロジェクタにおいては、例えばリフレクタの背面部分を透過する紫外線や、光源装置の射出側に配置された紫外線カットフィルタから漏れてくる紫外線があるため、プロジェクタを長期間にわたって使用すると、光源装置から電気光学変調装置までの光路上に配置される光学部品を収納する光学部品用筐体を構成する耐熱性樹脂に添加されたガラス繊維が耐熱性樹脂の表面に浮き出て浮遊し最終的にはプロジェクタにおける各種光学部品に付着して画質が低下するという問題が生じる場合がある。
【００４１】
しかしながら、上記のように構成することにより、例えばリフレクタの背面部分を透過する紫外線や、光源装置の射出側に配置された紫外線カットフィルタから漏れてくる紫外線から光学部品用筐体を保護することができるため、耐熱性樹脂に添加されたガラス繊維が耐熱性樹脂の表面に浮き出て浮遊し最終的にはプロジェクタにおける各種光学部品に付着して画質が低下することが十分に抑制されるようになる。
【００４２】
なお、絶縁性の紫外線不透過性材料は、光学部品用筐体の内壁全面に塗布されていてもよいし、光学部品用筐体の内壁における、リフレクタの背面部分を透過する紫外線や光源装置の射出側に配置された紫外線カットフィルタから漏れてくる紫外線に対応した部分のみに塗布されていてもよい。
【発明を実施するための最良の形態】
【００４３】
以下、本発明の光源装置及びプロジェクタについて、図に示す実施の形態に基づいて説明する。
【００４４】
〔実施形態１〕
図１は、実施形態１に係るプロジェクタ１０００ａを説明するために示す図である。図２は、実施形態１に係る光源装置１１０ａを説明するために示す図である。図２（ａ）は光源装置用筐体１４０の斜視図であり、図２（ｂ）は光源ランプ１２０の斜視図であり、図２（ｃ）は光源装置用筐体１４０に光源装置１１０ａが取り付けられたときの斜視図であり、図２（ｄ）は図２（ｃ）の断面を模式的に示す図である。
なお、以下の説明においては、互いに直交する３つの方向をそれぞれｚ軸方向（図１における光源光軸１１０ａａｘ方向）、ｘ軸方向（図１における紙面に平行かつｚ軸に直交する方向）及びｙ軸方向（図１における紙面に垂直かつｚ軸に直交する方向）とする。
【００４５】
実施形態１に係るプロジェクタ１０００ａは、図１に示すように、光源装置１１０ａと、光源装置１１０ａから射出された光の面内光強度分布を均一化するインテグレータ照明光学系１５０と、インテグレータ照明光学系１５０から射出された光を赤色光、緑色光及び青色光の３つの色光に分離して被照明領域に導光する色分離導光光学系２００と、色分離導光光学系２００から射出された赤色光、緑色光及び青色光の３つの色光を画像情報に応じて変調する電気光学変調装置としての３つの液晶装置４００Ｒ，４００Ｇ，４００Ｂと、３つの液晶装置４００Ｒ，４００Ｇ，４００Ｂで変調された赤色光、緑色光及び青色光の３つの色光を合成するクロスダイクロイックプリズム５００と、クロスダイクロイックプリズム５００で合成された光を投写する投写光学系６００とを備えている。
また、光源装置１１０ａから液晶装置４００Ｒ，４００Ｇ，４００Ｂまでの光路上に配置される上記した各種光学部品は、光学部品用筐体１００に収納されている。光学部品用筐体１００における投写光学系６００に対向する部分には、開口部が設けられている。
【００４６】
インテグレータ照明光学系１５０は、光源装置１１０ａからの光を複数の部分光束に分離する複数の第１小レンズを有する第１レンズアレイ１５２と、第１レンズアレイ１５２の複数の第１小レンズに対応する複数の第２小レンズを有する第２レンズアレイ１５４と、第２レンズアレイ１５４からの光を被照明領域上で重畳する重畳レンズ１５６とを備えている。また、第２レンズアレイ１５４と重畳レンズ１５６との間の光路上には、照明光束を偏光光に変換するための偏光変換素子１６０が配設されている。
【００４７】
光源装置１１０ａは、図１及び図２に示すように、被照明領域に向けて集束光を射出する光源ランプ１２０と、光源ランプ１２０からの集束光を略平行光に変換する平行化レンズ１３０とを有し、光源装置用筐体１４０に収納されている。
光源ランプ１２０は、発光管１１２と、発光管１１２からの光を被照明領域側に向けて反射するリフレクタとしての楕円面リフレクタ１１４と、発光管１１２から被照明領域側に射出された光を楕円面リフレクタ１１４に向けて反射する補助ミラー１１６とを有している。
【００４８】
色分離導光光学系２００は、インテグレータ照明光学系１５０から射出された照明光束を、赤色光、緑色光及び青色光の３つの色光に分離してそれぞれの色光を照明対象となる液晶装置４００Ｒ，４００Ｇ，４００Ｂに導く機能を有している。第１ダイクロイックミラー２１０は、赤色光を反射するとともに、緑色光及び青色光を透過させる。第１ダイクロイックミラー２１０で反射された赤色光は、反射ミラー２３０でさらに反射され、フィールドレンズ２８０Ｒを通過して赤色光用の液晶装置４００Ｒを照明する。
【００４９】
フィールドレンズ２８０Ｒは、第１重畳レンズ１６０からの複数の部分光束がそれぞれ赤色光用の液晶装置４００Ｒを照明するように集光する。通常、各部分光束が、それぞれ略平行な光束となるように設定されている。他の液晶装置４００Ｇ，４００Ｂの前に配設されたフィールドレンズ２８０Ｇ，２８０Ｂも、フィールドレンズ２８０Ｒと同様に構成されている。
【００５０】
第１ダイクロイックミラー２１０を通過した緑色光は、第２ダイクロイックミラー２２０によって反射され、フィールドレンズ２８０Ｇを通過して緑色光用の液晶装置４００Ｇを照明する。一方、第１ダイクロイックミラー２１０を通過した青色光は第２ダイクロイックミラー２２０を透過し、リレーレンズ２６０、入射側の反射ミラー２４０、リレーレンズ２７０、射出側の反射ミラー２５０及びフィールドレンズ２８０Ｂを通過して青色光用の液晶装置４００Ｂを照明する。
【００５１】
液晶装置４００Ｒ，４００Ｇ，４００Ｂは、入射した照明光束を画像情報に応じて変調するものであり、光源装置１１０ａの照明対象となる。なお、図示を省略したが、色分離導光光学系２００と各液晶装置４００Ｒ，４００Ｇ，４００Ｂとの間には、それぞれ入射側偏光板が介在配置され、各液晶装置４００Ｒ，４００Ｇ，４００Ｂとクロスダイクロイックプリズム５００との間には、それぞれ射出側偏光板が介在配置されている。そして、入射側偏光板、液晶装置４００Ｒ，４００Ｇ，４００Ｂ、及び射出側偏光板によって入射する各色光の光変調が行われる。
液晶装置４００Ｒ，４００Ｇ，４００Ｂは、一対の透明なガラス基板に電気光学物質である液晶を密閉封入したものであり、例えば、ポリシリコンＴＦＴをスイッチング素子として、与えられた画像情報に応じて、入射側偏光板から射出された１種類の直線偏光の偏光方向を変調する。
【００５２】
クロスダイクロイックプリズム５００は、射出側偏光板から射出された各色光毎に変調された光学像を合成してカラー画像を形成する光学素子である。このクロスダイクロイックプリズム５００は、４つの直角プリズムを貼り合わせた平面視略正方形状をなし、直角プリズム同士を貼り合わせた略Ｘ字状の界面には、誘電体多層膜が形成されている。略Ｘ字状の一方の界面に形成された誘電体多層膜は、赤色光を反射するものであり、他方の界面に形成された誘電体多層膜は、青色光を反射するものであり、これらの誘電体多層膜によって赤色光及び青色光は反射され、緑色光の進行方向と揃えられることにより、３つの色光が合成される。
【００５３】
クロスダイクロイックプリズム５００から射出されたカラー画像は、投写光学系６００によって拡大投写され、スクリーンＳＣＲ上で大画面画像を形成する。
【００５４】
このように構成されたプロジェクタ１０００ａにおいて、光源装置用筐体１４０は、内部にガラス繊維を含有する耐熱性樹脂からなっている。光源装置用筐体１４０の内壁のうち光源ランプ１２０からの紫外線が照射される部分には、絶縁性の紫外線不透過性材料１４２が塗布されている（図１及び図２（ｄ）参照。）。
【００５５】
このため、実施形態１に係る光源装置１１０ａによれば、光源装置用筐体１４０が複雑な形状をしている場合でも、光源装置用筐体１４０の形状に対応して絶縁性の紫外線不透過性材料１４２を隙間無く塗布することができる。また、実施形態１に係る光源装置１１０ａによれば、発光管１１２における被照明領域側のリード線１１３（図２（ｂ）参照。）の存在を気にせずに絶縁性の紫外線不透過性材料１４２を塗布することができ、その結果、光源装置用筐体１４０の内壁のうち光源ランプ１２０からの紫外線が照射される部分を全面にわたって絶縁性の紫外線不透過性材料１４２でカバーすることができるようになる。
【００５６】
実施形態１に係る光源装置１１０ａにおいては、絶縁性の紫外線不透過性材料１４２として、銅、鉄及びマンガンの複合酸化物を含む黒色塗料（サンコート株式会社製  無機コートＥＦ−４０７６Ｂ）を用いている。図３は、絶縁性の紫外線不透過性材料１４２の光透過スペクトルを示す図である。絶縁性の紫外線不透過性材料１４２は、図３に示すように、耐熱性樹脂の劣化につながる紫外線の透過率は１％以下であり、ほとんど透過しないことがわかる。
【００５７】
このため、実施形態１に係る光源装置１１０ａによれば、耐熱性樹脂に添加されたガラス繊維が耐熱性樹脂の表面に浮き出て浮遊し最終的には楕円面リフレクタ１１４や平行化レンズ１２０などに付着して輝度が低下するという問題を十分に抑制することができるようになる。
【００５８】
また、実施形態１に係る光源装置１１０ａによれば、絶縁性の紫外線不透過性材料１４２は黒色塗料であるため、紫外線の透過率をさらに下げることができる。
【００５９】
また、実施形態１に係る光源装置１１０ａによれば、上記したように、絶縁性の紫外線不透過性材料１４２として、銅、鉄及びマンガンの複合酸化物を含む黒色塗料を用いているため、紫外線の透過率が十分に低い絶縁性の紫外線不透過性材料とすることができる。
【００６０】
絶縁性の紫外線不透過性材料１４２の膜厚は、例えば２０μｍとしている。このため、実施形態１に係る光源装置１１０ａによれば、十分な黒色性及び紫外線不透過性が実現するようになる。
【００６１】
実施形態１に係る光源装置１１０ａにおいては、光源ランプ１２０の発熱により上記した黒色塗料の焼付けが行われている。光源ランプ１２０の発熱を利用して黒色塗料の焼付けが行われることにより、黒色塗料の塗布面への定着と黒色塗料の焼付け後における光源ランプ１２０の点灯動作の確認とを同時に実行することが可能となるため、作業工程を削減することが可能となる。
【００６２】
実施形態１に係るプロジェクタ１０００ａによれば、耐熱性樹脂が劣化することに起因して輝度が低下することが十分に抑制された光源装置１１０ａを備えているため、長期間にわたって輝度の低下しないプロジェクタとなる。
【００６３】
〔実施形態２〕
図４は、実施形態２に係る光源装置１１０ｂを模式的に示す断面図である。
実施形態２に係る光源装置１１０ｂは、実施形態１に係る光源装置１１０ａとほぼ同様の構成を有しているが、光源装置用筐体１４０の内壁のうち光源ランプ１２０からの紫外線が照射される部分をカバーする材料が異なっている。すなわち、実施形態２に係る光源装置１１０ｂにおいては、絶縁性の紫外線不透過性セラミックス材料１４４が溶射されている。
【００６４】
このように、実施形態２に係る光源装置１１０ｂは、光源装置用筐体１４０の内壁のうち光源ランプ１２０からの紫外線が照射される部分をカバーする材料が、実施形態１に係る光源装置１１０ａの場合とは異なっているが、光源装置用筐体１４０の内壁のうち光源ランプ１２０からの紫外線が照射される部分には、絶縁性の紫外線不透過性セラミックス材料１４４が溶射されているため、光源装置用筐体１４０が複雑な形状をしている場合でも、光源装置用筐体１４０の形状に対応して絶縁性の紫外線不透過性セラミックス材料を隙間無く溶射することができる。また、実施形態２に係る光源装置１１０ｂによれば、発光管１１２における被照明領域側のリード線１１３（図示せず。）の存在を気にせずに絶縁性の紫外線不透過性セラミックス材料１４４を溶射することができ、その結果、光源装置用筐体１４０の内壁のうち光源ランプ１２０からの紫外線が照射される部分を全面にわたって絶縁性の紫外線不透過性セラミックス材料でカバーすることができるようになる。
【００６５】
このため、実施形態２に係る光源装置１１０ｂによれば、実施形態１に係る光源装置１１０ａの場合と同様に、耐熱性樹脂に添加されたガラス繊維が耐熱性樹脂の表面に浮き出て浮遊し最終的には楕円面リフレクタ１１４や平行化レンズ１３０などに付着して輝度が低下するという問題を十分に抑制することができるようになる。
【００６６】
〔実施形態３〕
図５は、実施形態３に係る光源装置１１０ｃを模式的に示す断面図である。
実施形態３に係る光源装置１１０ｃは、実施形態１に係る光源装置１１０ａとほぼ同様の構成を有しているが、光源装置用筐体１４０の内壁のうち光源ランプ１２０からの紫外線が照射される部分をカバーする材料が異なっている。すなわち、実施形態３に係る光源装置１１０ｃにおいては、絶縁性の紫外線不透過性セラミックス板１４６でカバーされている。
【００６７】
このように、実施形態３に係る光源装置１１０ｃは、光源装置用筐体１４０の内壁のうち光源ランプ１２０からの紫外線が照射される部分をカバーする材料が、実施形態１に係る光源装置１１０ａの場合とは異なっているが、光源装置用筐体１４０の内壁のうち光源ランプ１２０からの紫外線が照射される部分には、絶縁性の紫外線不透過性セラミックス板１４６を用いてカバーすることとしたため、発光管１１２における被照明領域側のリード線１１３（図示せず。）との間隔を狭くした状態で絶縁性の紫外線不透過性セラミックス板１４６を配置することが可能になるため、光源装置用筐体１４０の内壁のうち光源ランプ１２０からの紫外線が照射される部分を、ほぼ全面にわたって絶縁性の紫外線不透過性セラミックス板１４６でカバーすることができる。
【００６８】
このため、実施形態３に係る光源装置１１０ｃによれば、実施形態１に係る光源装置１１０ａの場合と同様に、耐熱性樹脂に添加されたガラス繊維が耐熱性樹脂の表面に浮き出て浮遊し最終的には楕円面リフレクタ１１４や平行化レンズ１３０などに付着して輝度が低下するという問題を十分に抑制することができるようになる。
【００６９】
〔実施形態４〕
図６は、実施形態４に係るプロジェクタ１０００ｂを説明するために示す図である。
実施形態４に係るプロジェクタ１０００ｂは、実施形態１に係るプロジェクタ１０００ａとほぼ同様の構成を有しているが、光源装置１１０ａから液晶装置４００Ｒ，４００Ｇ，４００Ｂまでの光路上に配置される光学部品を収納する光学部品用筐体１００の内壁にも、紫外線の透過を抑制する絶縁性の紫外線不透過性材料１０４が塗布されている。
【００７０】
このため、実施形態４に係るプロジェクタ１０００ｂによれば、例えば楕円面リフレクタ１１４の背面部分を透過する紫外線や、光源装置１１０ａの射出側から漏れてくる紫外線から光学部品用筐体１００を保護することができるため、耐熱性樹脂に添加されたガラス繊維が耐熱性樹脂の表面に浮き出て浮遊し最終的にはプロジェクタにおける各種光学部品に付着して画質が低下することが十分に抑制されるようになる。
【００７１】
以上、本発明の光源装置及びプロジェクタを上記の各実施形態に基づいて説明したが、本発明は上記の各実施形態に限定されるものではなく、その要旨を逸脱しない範囲において種々の態様において実施することが可能であり、例えば次のような変形も可能である。
【００７２】
（１）上記各実施形態のプロジェクタ１０００ａ，１０００ｂは透過型のプロジェクタであるが、本発明はこれに限定されるものではない。本発明は反射型のプロジェクタにも適用することが可能である。ここで、「透過型」とは、透過型の液晶装置等のように光変調手段としての電気光学変調装置が光を透過するタイプであることを意味しており、「反射型」とは、反射型液晶装置のように光変調手段としての電気光学変調装置が光を反射するタイプであることを意味している。反射型のプロジェクタにこの発明を適用した場合にも、透過型のプロジェクタと同様の効果を得ることができる。 
【００７３】
（２）上記各実施形態のプロジェクタ１０００ａ，１０００ｂは、電気光学変調装置として液晶装置を用いているが、本発明はこれに限定されるものではない。電気光学変調装置としては、一般に、入射光を画像情報に応じて変調するものであればよく、マイクロミラー型光変調装置などを利用してもよい。マイクロミラー型光変調装置としては、例えば、ＤＭＤ（デジタルマイクロミラーデバイス）（ＴＩ社の商標）を用いることができる。 
【００７４】
（３）上記各実施形態の光源装置１１０ａ〜１１０ｃ及びプロジェクタ１０００ａ，１０００ｂは、光源ランプ１２０として、発光管１１２と、発光管１１２からの光を被照明領域側に向けて反射する楕円面リフレクタ１１４と、発光管１１２から被照明領域側に射出された光を発光管に向けて反射する補助ミラー１１６とを有する光源ランプを用いているが、本発明はこれに限定されるものではない。補助ミラーを有しない光源ランプを用いることもできる。
【００７５】
（４）上記各実施形態の光源装置１１０ａ〜１１０ｃ及びプロジェクタ１０００ａ，１０００ｂは、光源光軸に略平行な光を被照明領域側に向けて射出する光源装置として、楕円面リフレクタ１１４及び平行化レンズ１３０を用いた構成の光源装置について説明したが、本発明はこれに限定されるものではなく、例えば楕円面リフレクタ及び平行化レンズの代わりに放物面リフレクタを用いた光源装置など、光源光軸に略平行な光を被照明領域側に向けて射出するような構成の光源装置であればよい。
【００７６】
（５）上記実施形態４に係るプロジェクタ１０００ｂにおいては、絶縁性の紫外線不透過性材料１０４が光学部品用筐体１００の内壁全面に塗布された場合を例として説明したが、本発明はこれに限定されるものではない。例えば、絶縁性の紫外線不透過性材料１０４が、光学部品用筐体１００の内壁における、楕円面リフレクタ１１４の背面部分を透過する紫外線や光源装置１１０ａの射出側から漏れてくる紫外線に対応した部分のみに塗布されていてもよい。
【００７７】
（６）この他、本発明は、投写画像を観察する側から投写するフロント投写型プロジェクタにも、投写画像を観察する側とは反対の側から投写するリア投写型プロジェクタにも適用できることはいうまでもない。
【図面の簡単な説明】
【００７８】
【図１】実施形態１に係るプロジェクタ１０００ａを説明するために示す図。
【図２】実施形態１に係る光源装置１１０ａを説明するために示す図。
【図３】紫外線不透過性材料１４２の光透過スペクトルを示す図。
【図４】実施形態２に係る光源装置１１０ｂを模式的に示す断面図。
【図５】実施形態３に係る光源装置１１０ｃを模式的に示す断面図。
【図６】実施形態４に係るプロジェクタ１０００ｂを説明するために示す図。
【図７】従来のプロジェクタ１０００を説明するために示す図。
【図８】従来の光源装置１１０を説明するために示す図。
【符号の説明】
【００７９】
１００…光学部品用筐体、１０４，１４２…絶縁性の紫外線不透過性材料、１１０，１１０ａ，１１０ｂ，１１０ｃ…光源装置、１１０ａａｘ，１１０ａｘ…光源光軸、１１２…発光管、１１４…楕円面リフレクタ、１１６…補助ミラー、１２０…光源ランプ、１３０…平行化レンズ、１４０…光源装置用筐体、１４４…絶縁性の紫外線不透過性セラミックス材料、１４６…絶縁性の紫外線不透過性セラミックス板、１５０…インテグレータ照明光学系、１５２…第１レンズアレイ、１５４…第２レンズアレイ、１５６…重畳レンズ、１６０…偏光変換素子、２００…色分離導光光学系、２１０，２２０…ダイクロイックミラー、２３０，２４０，２５０…反射ミラー、２６０，２７０…リレーレンズ、２８０Ｒ，２８０Ｇ，２８０Ｂ…フィールドレンズ、４００Ｒ，４００Ｇ，４００Ｂ…液晶装置、５００…クロスダイクロイックプリズム、６００…投写光学系、１０００，１０００ａ，１０００ｂ…プロジェクタ
【図１】
2006178260.tif 000003
【図２】
2006178260.tif 000004
【図３】
2006178260.tif 000005
【図４】
2006178260.tif 000006
【図５】
2006178260.tif 000007
【図６】
2006178260.tif 000008
【図７】
2006178260.tif 000009
【図８】
2006178260.tif 000010